(57)【要約】【課題】継続的にタッチ或いは近接情報を監視する必要がある静電容量方式センサーを備えたタッチパネルシステムにおいて、位置検出取得開始の誤判断を低減すると共にタッチパネルシステムのアプリケーションプログラムと連携した消費電力低減を実現する位置情報取得装置およびシステムを提供すること。【解決手段】中央処理装置３からインターフェイス７を通じた位置情報リードに呼応する位置情報取得動作および内臓タイマー８により間欠的な位置情報取得動作を行う位置情報取得装置２を用いて、さらに取得した位置座標データがアプリケーションプログラムで必要な場合は中央処理装置３からの位置情報リード数を多くし、必要でない位置座標データであれば位置情報リード数を減らすことで、中央処理装置からの位置情報要開始に対するタイムリーな位置情報データ提供とアプリケーションプログラム内容に沿った低消費電力動作状態で静電容量方式タッチパネルシステムを動かすことができる。【選択図】図１
2013254322.tif 000002
【特許請求の範囲】
【請求項１】
静電容量方式センサー方式タッチパネルを備えた表示手段と、前記タッチパネルにタッチ或いは近接した場所の位置情報及び近接強度を検出する手段を備えた位置情報取得装置と、表示装置システムのアプリケーションプログラムに従い位置情報を処理する中央処理装置と、を備えたタッチパネル位置情報取得装置であって、
前記中央処理装置は、前記中央処理装置のプログラムにより位置情報取得装置との間でデータ通信ラインを通じて可変周期にて位置情報を取得する手段と、前記データ通信開始から位置情報取得装置が一定時間連続して位置情報を取得する動作を行う手段と、中央処理装置からデータ通信要求が無い場合は位置情報取得装置が持つタイマーにより間欠的に位置情報を取得保持し、前記タイマーによる位置取得動作時以外は位置情報取得装置内の一部回路の動作を停止し電流消費を抑制する制御手段とを備えたことを特徴とするタッチパネル位置情報取得装置。
【請求項２】
前記タッチパネル位置検出システムにおいて中央処理装置内のデータ取得タイミング及び取得数制御を前記タッチ操作者が意図するタッチ操作情報に加え、取得開始時の座標位置及び近接強度のデータがそのデータに基づきアプリケーションが画面表示内容を変更する必要がある座標位置及び近接強度データであった場合、中央処理装置内のデータ取得タイミング及び取得数を増加させる制御を行うこと、また前記取得データがアプリケーションプログラム判定で画面表示内容を変更する必要が無い場合或いは音を出すなどタッチパネル搭載した情報機器の動作を変更する必要がない座標位置及び近接強度データであった場合、中央処理装置内のデータ取得タイミング及び取得数を初期設定にする或いは初期設定以上の取得数で制御されていた場合は取得数を低減して位置検出を行うことを特徴とする請求項１に記載のタッチパネル位置情報取得装置。
【請求項３】
中央処理装置からのデータ通信ラインによる位置情報取得装置に対するデータ通信要求により、予め設定された一定時間位置情報取得装置による座標位置及び近接強度データを取得および更新の継続を行う動作中、新たに央処理装置からのデータ通信要求があった場合、現在の位置取得継続動作の終了まで央処理装置からのデータ通信要求で継続動作時間を更新せず、位置取得動作をしていない場合のみ央処理装置のデータ通信ラインによる位置取得要求を継続動作として受け付けることを特徴とする請求項１または請求項２に記載のタッチパネル位置情報取得装置。
【発明の詳細な説明】
【技術分野】
【０００１】
本発明は、指などの入力操作体が接近して或いは接触して入力操作位置を検出する静電容量方式の位置検出が可能なタッチパネルシステムに関し、特にタッチパネル位置検出デバイス装置とそれに接続される中央演算処理装置プログラムによる省電力化に関する。
【背景技術】
【０００２】
タッチパネル方式により装置の操作ができるようにした機能を持つ表示装置が多く利用されるようになってきた（例えば非特許文献２）。タッチ方式としては古くから抵抗膜方式が使われていたが、近年は電子機器の表示パネルに表示されたアイコンなどを指示入力するポインティングデバイスとして、指などが接近する或いは接することによる静電容量の変化を利用し、パネルに接近時、或いは接触時位置を検出し、直感的な入力操作でアプリケーションプログラムを実行する静電容量方式センサー機能を備えた表示機器システムが広く使用され始めている。
【０００３】
しかし、メカニカルスイッチを持たずに近接時でも位置情報を取得する必要があるなどの理由から、静電容量方式タッチパネル表示器では入力操作体の情報を常時監視しなければならず、電力消費量が大きいことが問題となっていた。
【０００４】
従来このような問題に対し、タイマー回路を用いて一定間隔で間欠動作を行う方法の他に、タッチ位置の軌跡に基づいて制御を行い消費電力をできるだけ減少させる方法などがある。例えば特許文献１には、タッチ位置の変化速度に応じて、サンプリング周期を最適な値に変更する技術が公開されている。
【０００５】
また別の解決提案として通常のタッチ位置座標を取得するノーマルモードとは別に、タッチあるいは近接の有無のみ取得する回路を設けて、タッチあるいは近接状態でないと判断している間は装置の一部のみ停止することで消費電力を削減しようとしている例も見られる（例えば特許文献２）。
【０００６】
しかしながら、一般的なタイマー回路による一定間隔の間欠動作をタッチパネル位置検出システムに適応した場合、位置情報を必要としている状況かどうかによらないため、操作レスポンスを良くするために位置情報を必要としている状況を前提とした短時間間隔の間欠動作を行うしかなく十分な消費電力を削減が得られない。
【０００７】
特許文献１の提案では、タッチ位置の変化速度のみに従う場合、移動距離を伴わない同一位置でのタッピング間隔時間の違いに対し、予め設定された初期値の時間間隔で測定対応する形になり省電力を伴った最適な判断を行うことができない。また情報端末の、たとえばメニューアイコン選択画面（例えば非特許文献１）等の選択可能位置以外の位置情報が不要なアプリケーションプログラムにおいて座標不要エリアにおいても不必要に多くの座標検出を行い消費電力を消耗する。
【０００８】
一方、特許文献２の例に見られる位置情報を伴わないタッチの有無判定回路を用いる方法においても特許文献１同様に位置情報を取得しないためアプリケーションプログラムが詳細情報を不要とするタッチ位置座標エリアにおいても不必要に多くの座標検出を行い消費電力を消耗する。また、非常にゆっくりだが高精度の座標位置が必要な手書き入力アプリケーションなどの描画入力時に間欠的にスリープモードに入って高精度の位置情報を与えることができなくなる等の問題が生じることになる。
【先行技術文献】
【特許文献】
【０００９】
【特許文献１】特開２０００−０１０７２１号公報
【特許文献２】特開２０１１−０４４００４号公報
【非特許文献】
【００１０】
【非特許文献１】特許庁：標準技術集「ユーザからみた携帯電話端末の機能及びインターフェイス」技術名称：アイコンの配置
【非特許文献２】特許庁：標準技術集「カーナビゲーション装置のユーザーインターフェイス」技術名称：タッチパネル
【発明の概要】
【発明が解決しようとする課題】
【００１１】
本発明は上述のような状況に鑑みてなされたものであり、継続的にタッチ或いは近接情報を監視する必要がある静電容量方式センサーを備えたタッチパネルシステムにおいて、位置検出取得開始の誤判断を低減すると共にタッチパネルシステムのアプリケーションプログラムと連携した消費電力低減を実現する静電容量方式位置検出システムを提供することを目的とする。
【課題を解決するための手段】
【００１２】
上記課題を解決するために、本願では次に列記する技術を提案する。
【００１３】
（１）静電容量方式センサー方式タッチパネルを備えた表示手段と、前記タッチパネルにタッチ或いは近接した場所の位置情報及び近接強度を検出する手段を備えた位置情報取得装置と、表示装置システムのアプリケーションプログラムに従い中央処理装置が位置情報を処理する手段と、前記央処理装置のプログラムにより位置情報取得装置との間でデータ通信ラインを通じて可変周期にて位置情報取得する手段と、前記データ通信開始から位置情報取得装置が一定時間連続して位置情報取得する動作を行う手段と、央処理装置からデータ通信要求が無い場合は位置情報取得装置が持つタイマーにより間欠的に位置情報を取得保持し、前記タイマーによる位置取得動作時以外は位置情報取得装置内の一部回路の動作を停止し電流消費を抑制する制御手段を備えたタッチパネル位置検出システム。
【００１４】
上記（１）のタッチパネル位置検出システムは、静電容量方式センサー方式タッチパネルに対し位置情報取得装置によりタッチパネルセンサー駆動に対して得られる検出データを座標位置及び近接強度のデータに変換し新たな位置情報を取得するまでその座標及び近接情報データを保持する。表示装置システム全体を管理する中央処理装置はアプリケーションプログラムに従い、位置情報取得装置が備える通信インターフェイスにデータＲＥＡＤ要求を行い前記位置情報取得装置と通信した時点で保持している座標及び近接情報データをデータ通信ラインより取得する。また中央処理装置はデータ通信ラインを通じてデータを取得する間隔を短く或いは長くするなど任意の間隔でデータを取得することを可能とする。そして取得した座標及び近接情報データを元に次のアプリケーションシステム動作を決定する。
【００１５】
また、前記中央演算処理装置によるデータ取得要求があり、その時点で位置情報取得装置が位置取得動作を行っていない場合、データ取得要求時点から選択的に設定可能なデータ取得動作継続タイマー時間に従い座標位置及び近接強度のデータを取得および更新する。中央処理装置はデータを取得する間隔を短くすることで前記データ取得動作継続時間中の更新が繰り返されることによる最新のデータ取得を行うことを可能とする。
【００１６】
さらに中央演算処理装置によるデータ取得間隔が長い場合、通信インターフェイスに対してデータＲＥＡＤ要求がない期間が生じ、その場合に位置情報取得装置は装置内に設置した時間設定変更可能な自走するタイマーの設定値に従い一定周期で位置取得動作を行うことを可能とする。タイマー動作中にあって位置取得動作を行わない本装置は装置内の位置取得動作時のみ動作すればよい回路動作を停止し動作電流が流れない状態にする。
【００１７】
上記位置情報取得装置において、位置取得動作は装置内のタイマーによる間欠動作時と中央演算処理装置によるデータ取得要求からの一定期間のいずれかの時間で動作し、位置情報取得装置内の自走タイマー及び継続タイマーの設定と中央処理装置内のデータ取得タイミング及び取得数制御について、タッチ操作者が意図するタッチ操作情報を取得不足にならない取得数に最適化することにより省電力でのタッチパネル位置検出を行うことを可能とする。
【００１８】
（２）前記タッチパネル位置検出システムにおいて中央処理装置内のデータ取得タイミング及び取得数制御を前記タッチ操作者が意図するタッチ操作情報に加え、取得開始時の座標位置及び近接強度のデータがそのデータに基づきアプリケーションが画面表示内容を変更する必要がある座標位置及び近接強度データであった場合、中央処理装置内のデータ取得タイミング及び取得数を増加させる制御を行うこと、また前記取得データがアプリケーションプログラム判定で画面表示内容を変更する必要が無い場合或いは音を出すなどタッチパネル搭載した情報機器の動作を変更する必要がない座標位置及び近接強度データであった場合、中央処理装置内のデータ取得タイミング及び取得数を初期設定にする或いは初期設定以上の取得数で制御されていた場合は取得数を低減して位置検出を行うことを特徴とする（１）のタッチパネル位置検出システム。
【００１９】
上記（２）のタッチパネル位置検出システムでは中央処理装置が実行するアプリケーションプログラムの画面表示後の個々の場面で予めタッチ位置情報に基づく次の画面表示、或いは画面表示に関係しないがタッチ操作者に対して音や光や振動などでタッチを認識したことを伝えるプログラムがなされており、タッチを認識したことをすぐには伝える必要がない場合、中央処理装置が位置検出装置に対し予め設定した最低限のデータＲＥＡＤ間隔まで読み出し要求を減じる手順を持ち、通信インターフェイスに対してデータＲＥＡＤ要求が無い期間は位置検出装置の自走データ取得動作だけにすることで位置検出装置の消費電力を抑える。
【００２０】
（３）前記（１）及び（２）の接続構成である位置情報取得装置と央処理装置のデータ通信ラインによる位置情報取得装置の一定時間連続動作において、央処理装置のデータ通信ラインによる位置情報取得装置からのデータ通信要求により、予め設定された一定時間位置情報取得装置による座標位置及び近接強度のデータを取得および更新の継続動作中、新たに央処理装置のデータ通信ラインによる位置情報取得装置からのデータ通信要求があった場合、現在の位置取得継続動作の終了まで央処理装置からのデータ通信要求で継続動作時間を更新せず、位置取得動作をしていない場合のみ央処理装置のデータ通信ラインによる位置取得要求を受け付けることを特徴とする（１）及び（２）のタッチパネル位置検出システム。
【００２１】
上記（３）の位置検出装置は位置取得動作をしていない場合のみ、央処理装置から新たなデータ取得動作を受け付けるため、最初のデータ取得要求受付動作からの動作期間が予め設定された一定時間に限られ、データ取得要求間隔が短い状況からデータ取得要求間隔が長くなる場合において、予め設定された一定時間の終了間際のデータ取得要求でデータ取得サイクルが延長されないことで、間欠動作による消費電力低減状況を央処理装置のデータ取得要求と無関係に位置検出装置内の機能のみで最小限の間欠動作状態を実現する。
【発明の効果】
【００２２】
タイマー回路による間欠的な位置及び近接強度情報の取得と中央演算処理装置による間欠的なデータ取得要求タイミングとの間に大きな時間差があった場合でも中央演算処理装置は次のタイマー回路による間欠的な位置及び近接強度情報の取得を待たずに最新の位置及び近接強度情報にデータ更新可能にし、タッチ操作性を損なうこと無く低消費電力化を実現できる。
【００２３】
中央演算処理装がデータ通信ラインを通じて間欠的に取得するのは常にタッチ位置及び近接強度情報とすることができるため、タッチ位置がアプリケーションプログラム内容に対し、処理の必要が無い表示パネルの位置座標であった場合にサンプリング数をまったく増やさずに済むため、最小限の低消費電力動作状態を継続できる。
【００２４】
中央演算処理装置のデータ取得要求が無くなった場合、データ取得要求に対して位置情報取得装置は余分な位置取得動作を低減できるため、無駄な電力消費を抑えることができる。
【図面の簡単な説明】
【００２５】
【図１】本発明の一つの実施の形態としてのタッチパネル位置検出システムを表す構成図である。
【図２】図１のタッチパネル位置検出システムを搭載する情報端末の全体概要の一つの例を表す構成図である。
【図３】一般的なサンプリング処理を表すタイミングチャートの例である。
【図４】図３と同様のサンプリング処理を表す別の形でのタイミングチャートである。
【図５】一般的なサンプリング処理をタッチパネル位置検出システムに適応した場合のタイミングチャート図である。
【図６】本発明のタッチパネル位置検出システムの実施の形態におけるサンプリング処理を表すタイミングチャートである。
【図７】本発明のタッチパネル位置検出システムを搭載する情報端末の表示画面例である。
【図８】本発明のタッチパネル位置検出システムの実施の形態におけるサンプリング処理を表すフローチャートである。
【図９】本発明のタッチパネル位置検出システムの実施の形態における他のサンプリング処理を表すフローチャートである。
【発明を実施するための形態】
【００２６】
以下、図面を参照して本発明の実施の形態につき詳述することにより本発明を明らかにする。
【００２７】
図１は、本発明の一つの実施の形態としてのタッチパネルの位置情報の検出処理を行うシステム表す電気的構成図である。
【００２８】
図１のタッチパネル位置検出処理装置は静電容量センサー方式のタッチパネルセンサーに本発明の位置情報取得装置であるタッチコントローラＬＳＩと本発明の制御フロープログラムを備えた中央処理装置であるＣＰＵにより構成される。
【００２９】
図２は図１の位置情報取得装置を含んだタッチパネル位置検出システムを搭載する情報端末構成の一例であり位置情報の検出部分の他に位置表示をするための処理装置を含んだ情報端末全体の概要を表している。
【００３０】
＜静電容量センサー方式タッチパネル＞
図２の情報端末で示すように、ＬＣＤ等１１の表示装置の画面のタッチ位置を検出するため静電容量センサー１０は表示装置と重ね合わせて用いられる。
【００３１】
１１の表示装置は液晶等の表示コントローラー１３により静止画や動画を表示する。一方、静電容量センサー１０は位置情報取得装置（タッチコントローラー）１２によりセンサードライバーからの信号指示で電界を発生させ、静電気の状態変化を位置情報取得装置（タッチコントローラー）１２に与える。位置情報取得装置は状態変化を座標位置に変換する。システム全体を制御する中央処理装置１４はＲＯＭ１５やＲＡＭ１６等の記憶素子にプログラムされたアプリケーションプログラムを実行する。画面表示情報と前記取得したタッチ座標位置により中央処理装置は次のパネル表示などプログラムに従い実行してゆく。このような構成で非特許文献４にあるようなタッチパネル操作が行われる。
【００３２】
図２の情報端末における本発明の位置情報取得装置及び位置情報を処理する中央制御装置について図１を用いて、本発明の実施の詳細を述べる。
【００３３】
図１において、１はメカニカルスイッチを持たずにパネルに近接した状態で位置情報を取得するために能動的に位置情報を取得する必要があるタッチパネルセンサーで、一般的分類では静電容量方式タッチパネルを指し、縦横にパターニングされた透明電極フィルムを組み合わせた素材構成を用いており、位置情報取得装置２でいずれのパターンに物体が近づいたか静電気の電気的変化を検知することにより、物体の接近あるいは接触を感知し位置情報に変換する。
【００３４】
前記パターニングされた透明電極フィルムはそのパターン上に電界を発生させるためのセンサー駆動装置と透明電極フィルム上の電界の変化を検出する検出回路である位置情報取得装置の機能回路４と接続して使用される。
【００３５】
前記センサー駆動と電界の変化取得は位置情報取得装置内のコントローラー６により制御され、駆動パターンと電界の変化値から座標変換回路５でフィルタリングや補正を行い位置座標および近接強度に変換する。位置座標及び近接強度情報はデータ通信インターフェイス７を通じて中央処理装置３により読みだされアプリケーションプログラムで利用される。
【００３６】
前述のような静電容量方式タッチパネルではタッチ入力操作に対するアプリケーションプログラム処理との時間差があると直感的操作性が劣ることになる。これに対し従来方法では常に高速な位置情報取得処理を行うことで操作性に人的違和感が少ないようにすることが可能である。しかしながら位置情報取得装置２全体を常に高速なサンプリング周期で動作させることになるため電力消費量が大きい。
【００３７】
前記サンプリング周期に関して、数ｍｓｅｃから数十ｍｓｅｃでパネル１面の位置検出および座標値変換処理を行い、タッチ入力者の操作目的を落とすことがない限界値、例えば１００ｍｓｅｃ周期内で位置情報取得するサイクルを考えると、位置情報取のための処理時間時間と取得サイクル周期時間の差だけ間欠的に位置情報取作業を休止して電力消費量を抑えることが可能である。図１においてタイマー８を設置して、例えば１００ｍｓｅｃ周期のタイマーを動作させ、この周期ごとに位置情報取を行い、取得したら次の周期まで位置情報取時のみ動作が必要なセンサー＆検出回路４や座標値変換回路５及びコントローラー６の一部回路を休止することで位置情報取時以外はタイマー回路動作の消費電力のみになるため電力消費量は大きく削減できる。
【００３８】
図３および図４は前記間欠動作を行う従来型のタイマー駆動タイミングチャート図である。
【００３９】
図３はタイマー周期を時間Ｔ１に設定して動作させ、各周期の先頭エッジから、１回あるいは数回の位置情報を取得するための時間Ｔ２の間だけ位置情報取動作を行い、結果を保持する。
【００４０】
図４は同様の効果を別の形態のタイミングチャートで行ったもので、タイマー周期を時間Ｔ１に設定して、タイマー信号自体を各周期の先頭から前記同様に位置情報取得に必要な時間Ｔ２だけＯＮ／ＯＦＦの論理を保持（図２ではＨｉレベルがＯＮ）し、タイマーの論理レベルがＯＮの間だけ位置情報取得回路を動作させる。ほぼＴ２＝Ｔ２’となり図３のタイミングチャートと同様の間欠動作となる。
【００４１】
図５は図２の中央処理装置（ＣＰＵ）３がアプリケーションプログラムで使用される位置情報を位置情報取得装置２からＲＥＡＤする場合において図４のような従来方式の間欠タイマーを使用した場合の座標データとＣＰＵによるリードの関係を表した例である。
【００４２】
位置情報取得装置は間欠タイマーＴ３周期でＴ４期間動作することによりＴ４期間に応じた座標位置データ及び近接強度データを生成保持する。間欠タイマーとＣＰＵのＲＥＡＤサイクルは応じて非同期であり、Ｃ１やＣ２のタイミングから位置情報取得装置とのインターフェイスを通していくつか情報を取得する。座標データ生成時刻との間にはＴ５あるいはＴ６のような遅延時間が生じる。遅延差に大きくバラツキがあることから違和感の無い直感的操作性は得られない。
【００４３】
本発明の実施の形態では間欠タイマー動作は図６のようになる。間欠タイマーがＴ３周期で定期的にＴ４間データを生成する。ＣＰＵによる非同期のＲＥＡＤから続けていくつか情報を取得する。位置情報取得装置はＣＰＵによる非同期のＲＥＡＤからＴ７の一定時間位置情報取得回路を継続動作させる。ＣＰＵはＴ３時間と同程度或いは少なくとも２倍以内の間欠間隔であるＴ９間隔でリードＣ３或いはＣ４を開始する。Ｃ３、Ｃ４の最初のリード直後に位置情報取得装置は位置情報取得を実行するため、ＣＰＵが連続して２回目に取得したデータは最新の位置及び近接強度情報であり、間欠タイマーを使用した電力消費量削減とスムーズな直感的操作性を得ることが可能となる。
【００４４】
前記Ｔ７の一定時間を作る回路は間欠タイマーを兼用して時間設定値を変えて使用してもよいし、また別のＴ７の継続時間タイマー回路を設置してもよい。
【００４５】
ＣＰＵがリアルタイムのデータを取得したい場合Ｔ８のように２回リードを行う。２回の間隔は位置情報取得装置の最大データ取得サイクル以上に設定する。またＣＰＵの間欠動作でデータを取得後、連続してデータをリードする場合は継続時間タイマーＴ７まで最新データで更新されているため、間欠動作最適化のためには最大連続時間Ｔ１０はＴ７とほぼ同じ時間とする方がより良い。
【００４６】
また、上記のＲＥＡＤ時に続けていくつか情報を取得する場合において、Ｔ７を毎回のＲＥＡＤ信号から一定時間の動作とするのではなく、最初のＲＥＡＤ開始からＴ７時間区間は後のＲＥＡＤ信号は無視することで、ＲＥＡＤによりＴ７が延長されないようにすれば位置情報取得装置の動作時間が頻繁に延長せず固定化されるので消費電力削減のためのＴ３〜Ｔ７の時間を決める制御設計が容易になるのでよりよい。
【００４７】
図６におけるＣＰＵのＲＥＡＤサイクルに関して本発明の実施の形態に関して説明するにあたり、ます図７について記載する。情報表示入力端末３０は例えば非特許文献３の携帯電話アイコンのように画面上にアイコンを配置し、これを操作ボタン代わりに使用するものであり、静電容量方式タッチパネルにおいてもこのようなアイコンボタン３１を配置し、画面上のアイコンを直接人間の指３３でタッチすることでボタンを押したこととして処理する。この場合アイコン領域以外３２をタッチ３４した場合、アプリケーション動作として特にタッチ者に対して結果を返す必要がなければタッチ３４直後の指の動きを追う必要がない。
【００４８】
図６のＣ３、Ｃ４のＣＰＵによる間欠リード開始時に得られたタッチ座標位置が図７のタッチ３４のような状況であれば、Ｃ３、Ｃ４リード開始以降に連続してＣＰＵがデータを位置情報取得装置から読み出す必要が無い。ＣＰＵに関しても休止する時間を増やすことができ消費電力削減を行うことが可能となる。このＣＰＵによる制御フローチャートの一つを表したものが図８である。
【００４９】
図８のフローチャートは前述のＣＰＵによるリードサイクルの流れ部分のみ表したものである。
【００５０】
座標位置取得処理開始（ステップＳ４０）により位置情報取得装置の間欠タイマーサイクルに近い遅いサンプリング周期（ステップＳ４１）の設定でＣＰＵリードサイクルが行われる。位置情報取得装置から座標データをリード（ステップＳ４２）してデータをアプリケーションプログラムタスク（ステップＳ４３）などで通常処理を行う一方、座標位置が前記図７のタッチ３３やタッチ３４のような状況でアプリケーションプログラムに対して有効で以降しばらく連続してデータをリードした方がよいか、あるいは無効でリードを休止してかまわないか判定（ステップＳ４４）を行う。
【００５１】
判定（ステップＳ４４）で連続するデータ取得が必要なければサンプリング周期（又は連続取得サンプル数）はそのままに座標位置取得サイクルを継続する。連続してデータをリードした方がよい場合はサンプリング周期（又は連続取得サンプル数）の設定を変更してＣＰＵによる間欠的なデータ取得を密にして座標データのリード（ステップＳ４６）を行い、データ処理（ステップＳ４７）に渡すと共に早い周期でリードされたデータ座標位置が、前回同様に以降しばらく連続してデータをリードした方がよいか、あるいは無効でリードを休止してかまわないか判定（ステップＳ４８）を行う。
【００５２】
判定（ステップＳ４８）で連続するデータ取得が必要な座標位置から外れていればＣＰＵによる間欠的なデータ取得設定を初期設定（ステップＳ４１）に戻して低消費電力状態で動作させ、連続するデータ取得が必要な座標位置にあればデータ取得が密のままサンプリングを続ける。ここでＣＰＵによる間欠的なデータ取得を密にするには図６のＣＰＵリードサイクル間隔Ｔ９を短くすること、または連続データ取得時間Ｔ８を増やすこと、あるいはその両方であっても良く、アプリケーションプログラム内容と操作性から動作状況を見て最適な設定にする。
【００５３】
図８のフローチャートでは、位置情報取得装置から得られる位置座標データ及び近接強度情報のうち位置座標に関してアプリケーションプログラムの有効／無効で判定を行ったが、タッチ者の指がタッチ状態にいたらないホバリング状態を利用するアプリケーションプログラムであった場合は判定（ステップＳ４４，ステップＳ４８）を近接強度情報に行うことで対応可能となる。
【００５４】
さらに位置座標情報に加えアプリケーションプログラムによっては位置座標情報の時間的な移動の有無を利用する場合がある。このような位置変化を考慮する必要がある場合は図９のフローチャートのように、早いサンプリング設定での絶対位置座標判定の次に、位置変化の有無で早いサンプリングを続けるか遅いサンプリングに戻すか（ステップＳ５９）決定することで、アプリケーションプログラムの動きに対応した間欠動作で消費電力を抑えることができる。
【００５５】
本発明の基本的な実施形態に基づいて詳述してきたが、本発明はこれら特定の実施形態に限られるものではなく、本発明の要件を逸脱しない形態を含めた位置情報取得装置およびＣＰＵプログラムであってよい。
【００５６】
以上のとおり、本発明によれば継続動作が必要な静電容量方式タッチパネルの位置情報取得装置内の間欠タイマーによる位置情報取得とＣＰＵからのリードタイミングを起点とした継続位置情報取得によりＣＰＵは位置情報取得装置内の間欠サイクル同期させること無く且つ位置検出取得開始時のデータ不足に陥ることなくアプリケーションに応じたリードを行うだけで、間欠動作による消費電力削減が可能になる。
【００５７】
またＣＰＵが取得した座標位置がアプリケーションプログラムにおいて必要なタッチ位置でない場合にＣＰＵが取得するサンプル数を低減することで、さらに消費電力削減が可能になる。
【００５８】
さらに位置情報取得装置はＣＰＵのリード要求すべてに対し位置情報取得動作を行うのではなく、リード開始からの一定期間に限定することで、過度な位置情報取得延長をなくし消費電力削減をより重視したシステム動作を行うことができる。
【００５９】
上記座標位置に加え近接強度情報を付加することでホバリング状態を使ったアプリケーションに対応した消費電力削減を行うことができる。
【符号の説明】
【００６０】
１、１０  …  静電容量方式タッチパネル
２、１２  …  位置情報取得装置（タッチコントローラー）
３、１４  …  中央処理装置（ＣＰＵ）
４  …  センサー駆動＆検出回路
５  …  座標値変換回路
６  …  コントロール回路
７  …  インターフェイス（Ｉ／Ｆ）
８  …  タイマー
１１  …  ＬＣＤ等の表示装置
１３  …  液晶コントローラー
１５  …  ＲＯＭ
１６  …  ＲＡＭ
【図１】
2013254322.tif 000003
【図２】
2013254322.tif 000004
【図３】
2013254322.tif 000005
【図４】
2013254322.tif 000006
【図５】
2013254322.tif 000007
【図６】
2013254322.tif 000008
【図７】
2013254322.tif 000009
【図８】
2013254322.tif 000010
【図９】
2013254322.tif 000011